(57)【要約】【課題】ゴミ被覆体を容易かつ迅速に展開及び片づけることが可能であって、さらに、不使用状態で周囲の美観を損ねることのないゴミ被覆保護装置を提供する。【解決手段】ゴミを保護するためのゴミ被覆体１と、ゴミ被覆体１を取着するためのシャフト２と、シャフト２を水平状軸心Ｌａ廻りに回転自在に支持する左右一対の枢支部材３，３と、シャフト２の一端部に連結されシャフト２を水平状軸心Ｌａ廻りに回転させてゴミ被覆体１をロール状に巻き取るための手動ハンドル４と、を備えたゴミ被覆保護装置であって、左右一対の枢支部材３，３夫々から上方突出状に設けられた上柱部61，61と、左右一対の上柱部61，61の上部を左右方向に連結する上連結部62と、を有し、さらに、上連結部62に取着され、ロール状に巻き取られたゴミ被覆体１を上方から目隠しするための化粧シート体７を備えた。【選択図】図５
2018065630.tif 000002
【特許請求の範囲】
【請求項１】
ゴミ（Ｇ）を保護するためのゴミ被覆体（１）と、該ゴミ被覆体（１）を取着するためのシャフト（２）と、該シャフト（２）を水平状軸心（Ｌａ）廻りに回転自在に支持する左右一対の枢支部材（３）（３）と、該シャフト（２）の一端部に連結され該シャフト（２）を上記水平状軸心（Ｌａ）廻りに回転させて上記ゴミ被覆体（１）をロール状に巻き取るための手動ハンドル（４）と、を備えたゴミ被覆保護装置であって、
上記左右一対の枢支部材（３）（３）夫々から上方突出状に設けられた上柱部（61）（61）と、左右一対の上記上柱部（61）（61）の上部を左右方向に連結する上連結部（62）と、を有し、
さらに、上記上連結部（62）に取着され、ロール状に巻き取られた上記ゴミ被覆体（１）を上方から目隠しするための化粧シート体（７）を備えたことを特徴とするゴミ被覆保護装置。
【請求項２】
上記上連結部（62）は円形状の外周面（62ｄ）を有し、
上記上連結部（62）に掛けられた上記化粧シート体（７）を、弾発的に開脚自在な横断面Ｕ字状のシート体用着脱挟持具（51）にて、上記上連結部（62）に着脱自在に取着した請求項１記載のゴミ被覆保護装置。
【請求項３】
上記シャフト（２）は円形状の外周面（２ｄ）を有し、
上記シャフト（２）に後方基端縁部（１ｂ）を対応させた上記ゴミ被覆体（１）を、弾発的に開脚自在な横断面Ｕ字状の被覆体用着脱挟持具（52）にて、上記シャフト（２）に着脱自在に取着した請求項１又は２記載のゴミ被覆保護装置。
【請求項４】
上記左右一対の枢支部材（３）（３）夫々から下方突出状に設けられた下柱部（81）（81）と、左右一対の下柱部（81）（81）の下部を左右方向に連結する下連結部（82）と、下連結部の左右中間部から下方突出状に設けられた支柱部（83）と、を有し、
上記支柱部（83）は、角パイプから成り、基台（９）の長孔（91）に抜き差し自在な下端部（83ｂ）を有する請求項１，２又は３記載のゴミ被覆保護装置。
【請求項５】
上記左右一対の枢支部材（３）（３）は、上記シャフト（２）の一端部が差し込まれる第１ベアリング（31）と、上記シャフト（２）の他端部が差し込まれる第２ベアリング（32）と、を備え、
上記シャフト（２）は、パイプ部材（20）と、該パイプ部材（20）の一端部（20ａ）に先端部（21ａ）が差し込まれて固着されると共に基端部（21ｂ）が上記第１ベアリング（31）に差し込まれる第１短軸部材（21）と、上記パイプ部材（20）の他端部（20ｂ）に先端部（22ａ）が差し込まれて固着されると共に基端部（22ｂ）が上記第２ベアリング（32）に差し込まれる第２短軸部材（22）と、を備え、
さらに、上記第１短軸部材（21）の基端面に上記手動ハンドル（４）が取付金具（41）を介して取着されている請求項１，２，３又は４記載のゴミ被覆保護装置。
【発明の詳細な説明】
【技術分野】
【０００１】
本発明は、ゴミ被覆保護装置に関する。
【背景技術】
【０００２】
従来、ゴミ集積所に置かれたゴミを、カラスや猫等の鳥獣から保護するネットが公知である（例えば、特許文献１参照）。
【先行技術文献】
【特許文献】
【０００３】
【特許文献１】特開２０１５−３４０７５公報
【発明の概要】
【発明が解決しようとする課題】
【０００４】
しかし、ネットやシート等のゴミ被覆体を展開する作業や片づける作業には、手間と時間がかかるといった問題があった。また、ゴミ集積所にゴミ被覆体が乱雑に折り畳まれたままであると、周囲の美観が損なわれるという問題があった。
【０００５】
そこで、本発明は、ゴミ被覆体を容易かつ迅速に展開及び片づけることが可能であって、さらに、不使用状態で周囲の美観を損ねることのないゴミ被覆保護装置の提供を目的とする。
【課題を解決するための手段】
【０００６】
上記目的を達成するために、本発明のゴミ被覆保護装置は、ゴミを保護するためのゴミ被覆体と、該ゴミ被覆体を取着するためのシャフトと、該シャフトを水平状軸心廻りに回転自在に支持する左右一対の枢支部材と、該シャフトの一端部に連結され該シャフトを上記水平状軸心廻りに回転させて上記ゴミ被覆体をロール状に巻き取るための手動ハンドルと、を備えたゴミ被覆保護装置であって、上記左右一対の枢支部材夫々から上方突出状に設けられた上柱部と、左右一対の上記上柱部の上部を左右方向に連結する上連結部と、を有し、さらに、上記上連結部に取着され、ロール状に巻き取られた上記ゴミ被覆体を上方から目隠しするための化粧シート体を備えたものである。
また、上記上連結部は円形状の外周面を有し、上記上連結部に掛けられた上記化粧シート体を、弾発的に開脚自在な横断面Ｕ字状のシート体用着脱挟持具にて、上記上連結部に着脱自在に取着したものである。
また、上記シャフトは円形状の外周面を有し、上記シャフトに後方基端縁部を対応させた上記ゴミ被覆体を、弾発的に開脚自在な横断面Ｕ字状の被覆体用着脱挟持具にて、上記シャフトに着脱自在に取着したものである。
【０００７】
また、上記左右一対の枢支部材夫々から下方突出状に設けられた下柱部と、左右一対の下柱部の下部を左右方向に連結する下連結部と、下連結部の左右中間部から下方突出状に設けられた支柱部と、を有し、上記支柱部は、角パイプから成り、基台の長孔に抜き差し自在な下端部を有するものである。
また、左右一対の枢支部材は、上記シャフトの一端部が差し込まれる第１ベアリングと、上記シャフトの他端部が差し込まれる第２ベアリングと、を備え、上記シャフトは、パイプ部材と、該パイプ部材の一端部に先端部が差し込まれて固着されると共に基端部が上記第１ベアリングに差し込まれる第１短軸部材と、上記パイプ部材の他端部に先端部が差し込まれて固着されると共に基端部が上記第２ベアリングに差し込まれる第２短軸部材と、を備え、さらに、上記第１短軸部材の基端面に上記手動ハンドルが取付金具を介して取着されているものである。
【発明の効果】
【０００８】
本発明によれば、ゴミ被覆体展開作業とゴミ被覆体片づけ作業を一人で容易かつ迅速に行うことができる。しかも、熟練者でなくてもゴミ被覆体を美しくコンパクトに片づけることができ、不使用状態で周囲の美観を損ねずに保管できる。簡素な構造としながらも、ゴミ被覆体を雨風や雪から保護して、ゴミ被覆体の寿命を延ばせる。ゴミ被覆体を使用するためや、収納するために搬送する必要がなく、ゴミ被覆体の準備や片づけにかかる手間と時間を削減できる。
【図面の簡単な説明】
【０００９】
【図１】本発明の実施の一形態の使用展開状態の正面図である。
【図２】図１のＡ−Ａ断面側面図である。
【図３】巻き取り状態を示す断面側面図である。
【図４】目隠し状態を示す断面側面図である。
【図５】目隠し状態を示す正面図である。
【図６】化粧シート体の取着状態の一例を説明するための断面側面図であって、（ａ）は取着前状態の断面側面図であり、（ｂ）は取着途中状態の断面側面図であり、（ｃ）は取着完了状態の断面側面図である。
【図７】ゴミ被覆体の取着状態の一例を説明するための断面側面図であって、（ａ）は取着前状態の断面側面図であり、（ｂ）は取着途中状態の断面側面図であり、（ｃ）は取着完了状態の断面側面図である。
【図８】要部半裁断面正面図である。
【図９】支柱部の下端部の一例を示す断面側面図である。
【図１０】支柱部のブロック差込状態を示す横断面図である。
【発明を実施するための形態】
【００１０】
以下、図示の実施形態に基づき本発明を詳説する。
本発明に係るゴミ被覆保護装置は、図１及び図２に示すように、ゴミ集積所Ｚに置かれたゴミＧをカラスや猫等の鳥獣から保護するためのゴミ被覆体１と、ゴミ被覆体１の基端側を取着するための１本のシャフト２と、シャフト２を水平状軸心Ｌａ廻りに回転自在に支持する左右一対の枢支部材３，３と、シャフト２の一端部に連結されそのシャフト２を水平状軸心Ｌａ廻りに回転させるための手動ハンドル４と、を備えている。
【００１１】
そして、左右一対の枢支部材３，３夫々から上方突出状に設けられる上柱部61，61と、左右一対の上柱部61，61の上部を左右方向に連結する上連結部62と、を有する門型部材６を備えている。門型部材６は、１本のパイプ材を曲げ加工にて形成したものである。
【００１２】
そして、手動ハンドル４を（左右）水平状軸心Ｌａ廻りに周回させることで、図３に示すように、シャフト２に、ゴミ被覆体１をロール状に巻き取るように構成している。
【００１３】
さらに、図４及び図５に示すように、シャフト２にロール状に巻き取られたゴミ被覆体１を、上方から目隠しするための化粧シート体７を備えている。
化粧シート体７は、合成樹脂製であって、ロール状のゴミ被覆体１を正面視及び背面視で目隠しする（美観を得る）と共に、雨や雪、直射日光（紫外線）等から保護するための保護シートを兼用している。
【００１４】
化粧シート体７は、帯状であって、長手方向（前後方向）中間部７ｃを上連結部62に対応させて、上連結部62で二つ折りに折り曲がるように（布団干しのように）上連結部62に掛けて配設され、ロール状のゴミ被覆体１及び一対の枢支部材３，３の前面側を上方から覆う（正面視で目隠しする）前方用片部71と、ロール状のゴミ被覆体１及び一対の枢支部材３，３の後方側を上方から覆う（背面視で目隠しする）後方用片部72と、を有している。
【００１５】
また、前方用片部71の内面（裏面）側の両側縁部かつ下部（下両角部）に面状ファスナの雌雄一方部材78を取着すると共に、後方用片部72の内面（裏面）側の両側縁部かつ下部（下両角部）に面状ファスナの雌雄他方部材79を取着している。
前方用片部71をロール状のゴミ被覆体１の前方側に垂れ幕状に配設すると共に、後方用片部72をロール状のゴミ被覆体１の後方側に垂れ幕状に配設して、雌雄一方部材78と雌雄他方部材79を係合させて目隠し状態を保持している。つまり、化粧シート体７の一端縁部（前方用片部71の下端縁部）と他端縁部（後方用片部72の下端縁部）とを閉じた袋状として、ロール状のゴミ被覆体１を包囲して保護できる。また、ロール状のゴミ被覆体１の前端縁部が自重にて垂れ下がって化粧シート体７から下方へはみ出す（露出する）のを防止する。ゴミ被覆体１をロール状に保持する作用も得られる。また、強風等による捲れや音（バタツキ音）を防止している。なお、図２と図３に於て、雌雄一方部材78と雌雄他方部材79は図示省略している。
【００１６】
化粧シート体７は、横断面Ｕ字状のシート体用着脱挟持具51にて、上連結部62に着脱自在（交換自在）に取着している。
図６に示すように、シート体用着脱挟持具51（以下、第１挟持具51と呼ぶ場合もある）は、横断面Ｃ字状部51ｃと、Ｃ字状部51ｃの両端部夫々から延伸状に下方へ突設され開口部を形成する左右一対の脚片部51ｇ，51ｇと、を有する横断面Ｕ字状である。
上連結部62は、パイプ材から成り、（横断面）円形状の外周面62ｄを有している。
【００１７】
第１挟持具51は、自由状態（非嵌着状態）で、Ｃ字状部51ｃの内周面の曲率半径寸法Ｒ51を、上連結部62の外周面62ｄの半径寸法Ｒ62よりも小さく設け、かつ、一対の脚片部51ｇ，51ｇの先端開口寸法Ｓ51を、上連結部62の外周面62ｄの直径寸法Ｄ62よりも小さく設けている。
【００１８】
第１挟持具51は、樹脂製であって、Ｃ字状部51ｃは弾発的に拡径（拡大）自在であり、一対の脚片部51ｇ，51ｇは弾発的（弾性的）に開脚（拡大）自在である。
また、第１挟持具51に、Ｃ字状部51ｃと一対の脚片部51ｇ，51ｇの弾性的復元力を補助する（挟持力を高める）横断面Ｃ字状乃至Ｕ字状の金属製の（第１の）板バネ53（図５参照）を外嵌状に複数取着している。
【００１９】
図６（ａ）に示すように、化粧シート体７は、上連結部62に掛けている。図６（ｂ）に示すように、横断面Ｕ字状のシート体用着脱挟持具51の開口部を、上方から、化粧シート体７が掛けられた上連結部62に接近させて沿わせることで、脚片部51ｇ，51ｇを弾性的に拡大させ（外方へ移動させ）、図６（ｃ）に示すように、化粧シート体７が掛けられた上連結部62に、Ｃ字状部51ｃ及び一対の脚片部51ｇ，51の弾性的復元力によって（クリップのように）外嵌状に取着する。
つまり、上連結部62と第１挟持具51の間で化粧シート体７が挟圧保持（挟持）される。
そして、取着後に、人の手で、一対の脚片部51ｇ，51ｇを拡大させて上方へ引き上げれば、上連結部62から第１挟持具51を（工具無しで）離脱でき、化粧シート体７の交換や清掃を行える。また目隠し状態（図４参照）からゴミ被覆体１を引き出す際や巻き取る際に、図３に示すように、化粧シート体７の前方用片部71をシャフト２の後方側へ垂れ幕状となるように配設して巻取り・引き出し準備状態に変更できる。
【００２０】
また、図５に示すように、化粧シート体７の左右幅寸法Ｗ７の４０％以上７５％以下を、第１挟持具51が挟持するように、第１挟持具51（の数及び／又は左右寸法）を設けている。４０％未満であると、強風等で化粧シート体７が捲れたままとなる虞れがあり、７５％を超えると、着脱作業に手間がかかる。また、第１挟持具51は、２個以上４個以下とするのが望ましい。第１挟持具51を１個にすると、第１挟持具51を長く形成する必要があり、着脱が困難になる。４個を超えると、着脱作業回数が増えて手間である。
【００２１】
また、図１乃至図４及び図７に示すように、ゴミ被覆体１は、後方基端縁部１ｂをシャフト２に対応させて（掛けて）、横断面Ｕ字状の被覆体用着脱挟持具52にて、シャフト２に着脱自在（交換自在）に取着している。
図７に示すように、被覆体用着脱挟持具52（以下、第２挟持具52と呼ぶ場合もある）は、第１挟持具51と同じ着脱構造であって、横断面Ｃ字状部52ｃと、Ｃ字状部52ｃの両端部夫々から延伸状に下方へ突設された左右一対の脚片部52ｇ，52ｇと、を有している。
シャフト２は、（横断面）円形状の外周面２ｄを有している。
【００２２】
第２挟持具52は、自由状態（非嵌着状態）で、Ｃ字状部52ｃの内周面の曲率半径寸法Ｒ52を、シャフト２（後述のパイプ部材20）の外周面２ｄの半径寸法Ｒ２よりも小さく設け、かつ、一対の脚片部52ｇ，52ｇの先端開口寸法Ｓ52を、シャフト２の外周面２ｄの直径寸法Ｄ２よりも小さく設けている。
【００２３】
第２挟持具52は、樹脂製であって、Ｃ字状部52ｃ及び脚片部52ｇ，52ｇは弾発的（弾性的）に拡大自在である。
また、第２挟持具52に、弾性的復元力を補助する横断面Ｃ字状乃至Ｕ字状の金属製の（第２の）板バネ54（図１参照）を外嵌状に複数、取着している。
そして、第１挟持具51と同じ作用を発揮する。つまり、図７（ａ）〜（ｃ）に示すように、第２挟持具52は弾性的に拡大した後に、弾性的復元力によってゴミ被覆体１が配設されたシャフト２に外嵌状に取着（嵌着）する。つまり、シャフト２と第２挟持具52の間でゴミ被覆体１が挟圧保持される。化粧シート体７と同様に、交換や清掃が容易に行える。
【００２４】
また、図１に示すように、シャフト２の巻き取り幅（巻取り有効長さ）寸法Ｗ２の４０％以上７５％以下を、第２挟持具52がゴミ被覆体１を挟持するように、第２挟持具52（の数及び／又は左右寸法）を設けている。４０％未満であると、引き出しや巻取りの際に捲れてからまる虞れがあり、７５％を超えると、着脱作業に手間がかかる。また、第２挟持具52は、２個以上４個以下とするのが望ましい。第２挟持具52を１個にすると、第２挟持具52を長く形成する必要があり、着脱が困難になる。４個を超えると、着脱作業回数が増えて手間である。
図例の第１・第２挟持具51，52は、言い換えると、樹脂製の筒状体に長手方向に沿った一条のスリット開口を設けた形状であって、横断面Ｃ字状やチューリップ形状等もある。
また、第１・第２着脱用挟持具51，52の変形例としては、金属製板材や金属製の線材を横断面Ｕ字状等に（弾発的に開脚自在に）形成したものとするも良い。
【００２５】
また、ゴミ被覆体１は、可撓面状であって、カラスや猫等の鳥獣がゴミＧに接近して荒らし、ゴミＧが散乱するのを防止可能であれば良い。
ゴミ被覆体１は、図例のような合成樹脂製のネット、或いは、図示省略するが、ブルーシートや幌等の合成樹脂製のシート等である。
ゴミ被覆体１は、シャフト２の巻き取り幅寸法Ｗ２よりも、長い被覆体幅寸法Ｗ１を有している。つまり、シャフト巻き取り状態で、左右端縁に折り返し重ね部が形成されているので、シャフト２の巻き取り幅寸法Ｗ２よりも幅広くゴミＧを保護でき、左右幅の広いゴミ集積所Ｚに対応できる。言い換えると、幅広のゴミ被覆体１を、コンパクトに片づけることができる。
【００２６】
図８に示すように、左右一対の枢支部材３，３は、シャフト２の一端部が差し込まれる第１ベアリング31と、第１ベアリング31が前後左右上下方向に移動するのを規制するプランマブロックやピローブロック、ベアリングカバー、ベアリングケース等の第１ベアリング保持部材30Ａと、シャフト２の他端部が差し込まれる第２ベアリング32と、第２ベアリング32が前後左右上下方向に移動するのを規制する第２ベアリング保持部材30Ｂと、を備えている。
上柱部61は、ベアリング保持部材30（30Ａ，30Ｂ）の上部に溶接にて固着されている。なお、図８に於て、ゴミ被覆体１及び第２挟持具52は図示省略している。
【００２７】
シャフト２は、パイプ部材20と、パイプ部材20の一端部20ａに第１の先端部21ａが差し込まれて溶接にて固着されると共に第１の基端部21ｂが第１ベアリング31に差し込まれる第１短軸部材21と、パイプ部材20の他端部20ｂに第２の先端部22ａが差し込まれて溶接にて固着されると共に第２の基端部22ｂが第２ベアリング32に差し込まれる第２短軸部材22と、を備えている。
そして、第１短軸部材21の基端面に、ボルト部材42にて固着されるカラー部材40及び板状の取付金具41を介して、図外の手動ハンドル４が取着されている。
左右水平軸状の手動ハンドル４を、水平状軸心Ｌａ廻りに周回させることで、シャフト２が水平状軸心Ｌａ廻りに回転する。
【００２８】
また、図１乃至図５に示すように、左右一対の枢支部材３，３夫々から下方突出状に設けられ板材から成る下柱部81，81と、左右一対の下柱部81，81の下部を左右方向に連結する角パイプから成る下連結部82と、下連結部82の左右中間部から下方突出状に設けられた角パイプから成る支柱部83と、を有するスタンド部材８を備えている。
下柱部81は、ベアリング保持部材30（30Ａ，30Ｂ）の下部（下面）にボルトナット結合によって固着されている。
【００２９】
また、スタンド部材８を立設させるための基台９を備えている。基台９は、支柱部83の下端部83ｂが抜き差し自在に差し込まれる平面視長円形状の長孔91を有している。
基台９は、物干し竿支持用支柱を立設させるための（物干し竿支持柱用の）ブロック台から成る。基台９（ブロック台）は、コンクリートブロックや、内部に水を貯水可能な中空ブロック形状の樹脂成型品等自由である。
【００３０】
図９及び図10に示すように、支柱部83は、横断面矩形状（長方形状）の角パイプから成る。
下端部83ｂの幅広の前面83ｅ及び後面83ｆが、下端縁から所定上下寸法Ｌ83だけ、プレス加工によって、押圧され、厚み寸法Ｔ83を、基台９の長孔91の幅寸法（短手寸法）Ｅ91に抜き差し可能に成形されている。長孔91の平面視平行状の二つの長辺91ａ，91ａに、前面83ｅ及び後面83ｆを夫々対応させて差し込んでいる。
【００３１】
また、プレス加工によって、下端縁から所定上下寸法Ｌ83の範囲のプレス加工部と、非プレス加工部（素材寸法部位）と、の境に、段差部83ｋが形成され、この段差部83ｋが基台９の上面（長孔91の開口縁部）に当接して、支柱部83の差込量が規制される（一定に保持される）ように構成している。
【００３２】
また、図１と図５に示すように、シャフト２と、一対の枢支部材３，３と、手動ハンドル４（カラー部材40と取付金具41）と、門型部材６と、スタンド部材８と、を有する全体枠形状の装置本体10を備えている。
言い換えると、装置本体10は、正面視矩形状枠体の上下中間部に左右一対の枢支部材３，３を介してシャフト２を（左右水平状軸心Ｌａ廻りに回転自在に）橋架状に設け、かつ、矩形状枠体の下辺部材の左右中間部から支柱部83を垂設した、全体枠構造である。このような枠体形状は、シャフト２及び枢支部材３，３を保護するような大きな箱型ケーシングが不要で、簡素化と軽量化を実現している。
【００３３】
なお、本発明は、設計変更可能であって、シャフト２や門型部材６やスタンド部材８は、鉄やステンレス等の金属製に限らず、樹脂製であっても良い。また、図示省略するが、ゴミ被覆体１の展開使用状態（図２参照）において、化粧シート体７の前方用片部71をシャフト２の前方側に垂れ幕状に配設して、シャフト２や枢支部材３を保護するように使用するも良い。また、図示省略するが、１本の鉛直状柱の上下中間部の外面にベアリング保持部材30を固着することで、枢支部材３から上方突出状に設けられた（鉛直状柱の上部側から成る）上柱部61と、枢支部材３から下方突出状に設けられた（鉛直状柱の下部側から成る）下柱部81と、を構成するも良い。
【００３４】
以上のように本発明のゴミ被覆保護装置は、ゴミＧを保護するためのゴミ被覆体１と、ゴミ被覆体１を取着するためのシャフト２と、シャフト２を水平状軸心Ｌａ廻りに回転自在に支持する左右一対の枢支部材３，３と、シャフト２の一端部に連結されシャフト２を水平状軸心Ｌａ廻りに回転させてゴミ被覆体１をロール状に巻き取るための手動ハンドル４と、を備えたゴミ被覆保護装置であって、左右一対の枢支部材３，３夫々から上方突出状に設けられた上柱部61，61と、左右一対の上柱部61，61の上部を左右方向に連結する上連結部62と、を有し、さらに、上連結部62に取着され、ロール状に巻き取られたゴミ被覆体１を上方から目隠しするための化粧シート体７を備えたので、ゴミ被覆体展開作業とゴミ被覆体片づけ作業を一人で容易かつ迅速に行うことができる。しかも、熟練者でなくてもゴミ被覆体１をロール状に美しくコンパクトに片づけることができ、ゴミ被覆体不使用状態で、周囲の美観を損ねずに保管できる。ゴミ被覆体１を雨風や雪から保護でき高寿命化を図れる。ゴミ被覆体１を使用するためや収納するために搬送する必要がなく、ゴミ被覆体１の準備や片づけにかかる手間と時間を削減できる。電源等の動力源が必要無く、省エネの面からも優れている。構造が簡素で故障の虞れが少なく、保守・点検等の手間を削減できると共に容易かつ迅速に製造できる。簡素な構造としながらも、ロール状となったゴミ被覆体１を容易かつ迅速に目隠しすることができる。
【００３５】
また、上連結部62は円形状の外周面62ｄを有し、上連結部62に掛けられた化粧シート体７を、弾発的に開脚自在な横断面Ｕ字状のシート体用着脱挟持具51にて、上連結部62に着脱自在に取着したので、化粧シート体７が劣化や破損した場合に、工具無しで簡単・容易に交換できる。様々な種類の化粧シート体７をシャフト２に取着できる。上連結部62に化粧シート体７を取り付けるための孔等を加工する必要がなく、容易に（安価に）製作できる。
【００３６】
また、シャフト２は円形状の外周面２ｄを有し、シャフト２に後方基端縁部１ｂを対応させたゴミ被覆体１を、弾発的に開脚自在な横断面Ｕ字状の被覆体用着脱挟持具52にて、シャフト２に着脱自在に取着したので、ゴミ被覆体１が劣化や破損した場合に、工具無しで簡単・容易に交換できる。様々な種類のゴミ被覆体１をシャフト２に取着できる。シャフト２にゴミ被覆体１を取り付けるための孔等を加工する必要がなく、容易に（安価に）製作できる。
【００３７】
また、左右一対の枢支部材３，３夫々から下方突出状に設けられた下柱部81，81と、左右一対の下柱部81，81の下部を左右方向に連結する下連結部82と、下連結部の左右中間部から下方突出状に設けられた支柱部83と、を有し、支柱部83は、角パイプから成り、基台９の長孔91に抜き差し自在な下端部83ｂを有するので、設置を容易かつ迅速に行うことができる。支柱部83を円形パイプとした場合に比べて、支柱部83の廻り止めが必要なく、容易（安価）に製造できる。廻り止めが不要となり、支柱部83の抜き差しを容易かつ迅速に工具無しで行うことができる。支柱部83が鉛直状の柱軸心廻りに回転せず、ゴミ被覆体１の引き出しや巻取りを一人で容易に行うことができる。
【００３８】
また、左右一対の枢支部材３，３は、シャフト２の一端部が差し込まれる第１ベアリング31と、シャフト２の他端部が差し込まれる第２ベアリング32と、を備え、シャフト２は、パイプ部材20と、パイプ部材20の一端部20ａに先端部21ａが差し込まれて固着されると共に基端部21ｂが第１ベアリング31に差し込まれる第１短軸部材21と、パイプ部材20の他端部20ｂに先端部22ａが差し込まれて固着されると共に基端部22ｂが第２ベアリング32に差し込まれる第２短軸部材22と、を備え、さらに、第１短軸部材21の基端面に手動ハンドル４が取付金具41を介して取着されているので、シャフト２を１本の中実棒材で形成した場合に比べて軽量にできる。第１・第２ベアリング31，32に差し込まれるシャフト２の両端部が第１・第２短軸部材21，22で形成されるため、旋盤加工等の高精度な機械加工は、パイプ部材20に取着前の第１・第２短軸部材21，22に行えば良く、高精度かつ容易に加工でき、品質を安定させることができる。第１・第２ベアリング31，32によって、老若男女問わず、スムーズに軽くシャフト２を回転させることができる（巻取り作業を容易にできる）。歯車等を用いず構造が簡素で、手動ハンドル４の操作力を無駄なく（効率良く）シャフト２に伝達できる。
【符号の説明】
【００３９】
１  ゴミ被覆体
１ｂ  後方基端縁部
２  シャフト
２ｄ  外周面
３  枢支部材
４  手動ハンドル
７  化粧シート体
９  基台
20  パイプ部材
20ａ  一端部
20ｂ  他端部
21  第１短軸部材
21ａ  先端部
21ｂ  基端部
22  第２短軸部材
22ａ  先端部
22ｂ  基端部
31  第１ベアリング
32  第２ベアリング
41  取付金具
51  シート体用着脱挟持具
52  被覆体用着脱挟持具
61  上柱部
62  上連結部
62ｄ  外周面
81  下柱部
82  下連結部
83  支柱部
83ｂ  下端部
91  長孔
Ｇ  ゴミ
Ｌａ  水平状軸心
【図１】
2018065630.tif 000003
【図２】
2018065630.tif 000004
【図３】
2018065630.tif 000005
【図４】
2018065630.tif 000006
【図５】
2018065630.tif 000007
【図６】
2018065630.tif 000008
【図７】
2018065630.tif 000009
【図８】
2018065630.tif 000010
【図９】
2018065630.tif 000011
【図１０】
2018065630.tif 000012
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
ゴミ（Ｇ）を保護するためのゴミ被覆体（１）と、該ゴミ被覆体（１）を取着するためのシャフト（２）と、該シャフト（２）を水平状軸心（Ｌａ）廻りに回転自在に支持する左右一対の枢支部材（３）（３）と、該シャフト（２）の一端部に連結され該シャフト（２）を上記水平状軸心（Ｌａ）廻りに回転させて上記ゴミ被覆体（１）をロール状に巻き取るための手動ハンドル（４）と、を備えたゴミ被覆保護装置であって、
上記左右一対の枢支部材（３）（３）夫々から上方突出状に設けられた上柱部（61）（61）と、左右一対の上記上柱部（61）（61）の上部を左右方向に連結する上連結部（62）と、を有し、
弾発的に拡大自在な横断面Ｕ字状の被覆体用着脱挟持具（52）を、上記ゴミ被覆体（１）を介して、上記シャフト（２）の円形状の外周面（２ｄ）に外嵌状に取着することで、上記ゴミ被覆体（１）は上記シャフト（２）に着脱自在に取着され、
さらに、ロール状に巻き取られた上記ゴミ被覆体（１）を上方から目隠しするための帯状の化粧シート体（７）を備え、
上記化粧シート体（７）は、上記上連結部（62）に掛けて二つ折りに折り曲がるように配設され、ロール状の上記ゴミ被覆体（１）の前面側に垂れ幕状に配設される前方用片部（71）と、ロール状の上記ゴミ被覆体（１）の後方側に垂れ幕状に配設される後方用片部（72）と、を有し、
弾発的に拡大自在な横断面Ｕ字状のシート体用着脱挟持具（51）を、上記化粧シート体（７）を介して、上記上連結部（62）の円形状の外周面（62ｄ）に外嵌状に取着することで、上記化粧シート体（７）は上記上連結部（62）に着脱自在に取着され、
さらに、上記前方用片部（71）の内面側の下部に面状ファスナーの雌雄一方部材（78）が取着されると共に、上記後方用片部（72）の内面側の下部に面状ファスナーの雌雄他方部材（79）が取着され、上記雌雄一方部材（78）と上記雌雄他方部材（79）とが係合して、ロール状の上記ゴミ被覆体（１）を上記化粧シート体（７）によって目隠し状態に保持するように構成したことを特徴とするゴミ被覆保護装置。
【請求項２】
上記左右一対の枢支部材（３）（３）夫々から下方突出状に設けられた下柱部（81）（81）と、左右一対の下柱部（81）（81）の下部を左右方向に連結する下連結部（82）と、下連結部の左右中間部から下方突出状に設けられた支柱部（83）と、を有し、
上記支柱部（83）は、角パイプから成り、基台（９）の長孔（91）に抜き差し自在な下端部（83ｂ）を有する請求項１記載のゴミ被覆保護装置。
【請求項３】
上記左右一対の枢支部材（３）（３）は、上記シャフト（２）の一端部が差し込まれる第１ベアリング（31）と、上記シャフト（２）の他端部が差し込まれる第２ベアリング（32）と、を備え、
上記シャフト（２）は、パイプ部材（20）と、該パイプ部材（20）の一端部（20ａ）に先端部（21ａ）が差し込まれて固着されると共に基端部（21ｂ）が上記第１ベアリング（31）に差し込まれる第１短軸部材（21）と、上記パイプ部材（20）の他端部（20ｂ）に先端部（22ａ）が差し込まれて固着されると共に基端部（22ｂ）が上記第２ベアリング（32）に差し込まれる第２短軸部材（22）と、を備え、
さらに、上記第１短軸部材（21）の基端面に上記手動ハンドル（４）が取付金具（41）を介して取着されている請求項１又は２記載のゴミ被覆保護装置。
【手続補正２】
【補正対象書類名】明細書
【補正対象項目名】０００６
【補正方法】変更
【補正の内容】
【０００６】
上記目的を達成するために、本発明のゴミ被覆保護装置は、ゴミを保護するためのゴミ被覆体と、該ゴミ被覆体を取着するためのシャフトと、該シャフトを水平状軸心廻りに回転自在に支持する左右一対の枢支部材と、該シャフトの一端部に連結され該シャフトを上記水平状軸心廻りに回転させて上記ゴミ被覆体をロール状に巻き取るための手動ハンドルと、を備えたゴミ被覆保護装置であって、上記左右一対の枢支部材夫々から上方突出状に設けられた上柱部と、左右一対の上記上柱部の上部を左右方向に連結する上連結部と、を有し、弾発的に拡大自在な横断面Ｕ字状の被覆体用着脱挟持具を、上記ゴミ被覆体を介して、上記シャフトの円形状の外周面に外嵌状に取着することで、上記ゴミ被覆体は上記シャフトに着脱自在に取着され、さらに、ロール状に巻き取られた上記ゴミ被覆体を上方から目隠しするための帯状の化粧シート体を備え、上記化粧シート体は、上記上連結部に掛けて二つ折りに折り曲がるように配設され、ロール状の上記ゴミ被覆体の前面側に垂れ幕状に配設される前方用片部と、ロール状の上記ゴミ被覆体の後方側に垂れ幕状に配設される後方用片部と、を有し、弾発的に拡大自在な横断面Ｕ字状のシート体用着脱挟持具を、上記化粧シート体を介して、上記上連結部の円形状の外周面に外嵌状に取着することで、上記化粧シート体は上記上連結部に着脱自在に取着され、さらに、上記前方用片部の内面側の下部に面状ファスナーの雌雄一方部材が取着されると共に、上記後方用片部の内面側の下部に面状ファスナーの雌雄他方部材が取着され、上記雌雄一方部材と上記雌雄他方部材とが係合して、ロール状の上記ゴミ被覆体を上記化粧シート体によって目隠し状態に保持するように構成したものである。
【手続補正３】
【補正対象書類名】明細書
【補正対象項目名】００３９
【補正方法】変更
【補正の内容】
【００３９】
１  ゴミ被覆体
１ｂ  後方基端縁部
２  シャフト
２ｄ  外周面
３  枢支部材
４  手動ハンドル
７  化粧シート体
９  基台
20  パイプ部材
20ａ  一端部
20ｂ  他端部
21  第１短軸部材
21ａ  先端部
21ｂ  基端部
22  第２短軸部材
22ａ  先端部
22ｂ  基端部
31  第１ベアリング
32  第２ベアリング
41  取付金具
51  シート体用着脱挟持具
52  被覆体用着脱挟持具
61  上柱部
62  上連結部
62ｄ  外周面
71 前方用片部
72 後方用片部
78 雌雄一方部材
79 雌雄他方部材
81  下柱部
82  下連結部
83  支柱部
83ｂ  下端部
91  長孔
Ｇ  ゴミ
Ｌａ  水平状軸心